(57)【要約】【課題】農作物をできるだけ早い機会に注文しながらも、注文取消しの発生が少なく、農作物の買い手の満足度がより高い、農作物ネット販売システムを提供する。【解決手段】農作物の状態を示す農作物状態情報を圃場区画単位に管理する農作物管理部７３と、販売可能な農作物を特定する農作物販売情報と販売可能な農作物のための農作物状態情報とを組み合わせて販売画面データを生成する販売画面データ生成部７１と、販売画面データに基づいてユーザ端末８に表示された販売画面８０を通じて行われた農作物購入依頼を処理する販売管理部７２とが備えられ、農作物状態情報は、農作物の収穫を行う収穫機１によって収穫時に生成される。【選択図】図１
2014191473.tif 000002
【特許請求の範囲】
【請求項１】
農作物の買い手となるユーザによって操作されるユーザ端末と通信可能に接続されるとともに、農作物の状態を示す農作物状態情報が入力される農作物ネット販売システムであって、
前記農作物状態情報を圃場区画単位に管理する農作物管理部と、
販売可能な農作物を特定する農作物販売情報と前記販売可能な農作物のための前記農作物状態情報とを組み合わせて販売画面データを生成する販売画面データ生成部と、
前記販売画面データに基づいて前記ユーザ端末に表示された販売画面を通じて行われた農作物購入依頼を処理する販売管理部とを備え、
前記農作物状態情報は、農作物の収穫を行う収穫機によって収穫時に生成される農作物ネット販売システム。
【請求項２】
前記収穫機に備えられた食味センサによる収穫時農作物の食味データが、前記農作物状態情報に含まれている請求項１に記載の農作物ネット販売システム。
【請求項３】
前記収穫機に備えられたカメラによる収穫時農作物の撮影画像データが、前記農作物状態情報に含まれている請求項１または２に記載の農作物ネット販売システム。
【請求項４】
前記カメラにはＧＰＳ機能が備えられ、前記撮影画像データに撮影位置が含まれており、前記撮影位置と前記圃場区画の位置とを照合することで、前記圃場区画で収穫された農作物のための前記農作物状態情報と前記撮影画像データとが関係づけられる請求項３に記載の農作物ネット販売システム。
【請求項５】
前記農作物管理部は、過去に同じ圃場区画で収穫された農作物の農作物状態情報を管理している請求項１から４のいずれか一項に記載の農作物ネット販売システム。
【請求項６】
前記収穫機によって生成された農作物の収量を示す収量データが入力され、前記農作物販売情報として利用される請求項１から５のいずれか一項に記載の農作物ネット販売システム。
【発明の詳細な説明】
【技術分野】
【０００１】
本発明は、農作物の買い手となるユーザによって操作されるユーザ端末と通信可能に接続されるとともに、農作物の状態を示す農作物状態情報が入力される農作物ネット販売システムに関する。
【背景技術】
【０００２】
農作物の出荷状態を示す商品見本となる商品画像データと、農作物の播種日から出荷日までを表わす生産計画データとを表示するための表示手段と、表示された各商品に対して注文を受け付けるための受注手段とを備えた農作物の販売システムが、特許文献１から知られている。この販売システムは、生産者が、購入者の希望する量と希望する日等の各種購入条件を受注し、その受注に対応して農作物の生産を行うものであり、購入者からの受注に対応した生産計画を可能にすることを目的としている。したがって、商品画像データには出荷できる状態の農作物を撮影した画像も含まれてはいるが、この販売システムでは購入者は収穫前の農作物を注文することになるので、その農作物の画像は、過去に収穫したもの等の画像で、実際に購入する農作物のものではない。つまり、この販売システムでは、購入者は、実際に購入する農作物の収穫時の状態等を把握することはできない。
【０００３】
サーバが、生育中の農作物に対する撮影により得られた画像データを記憶する記憶部と、この画像データに含まれる農作物のうちの既に購入予約がなされた農作物の生育状態が不良な場合に、当該画像データに含まれる他の農作物を代替物として設定する代替物設定手段と、代替物に設定された農作物に関する代替農作物情報クライアント端末に対して送信する送信手段とを備えた農作物販売システムが、特許文献２から知られている。この農作物販売システムでは、生育中の農作物の画像データに基づいて購入予約がなされるので、その後に購入予約がなされた農作物の生育状態が不良と判定された場合に代替農作物を顧客に提示することになる。収穫前の気象条件によってその品質や収穫量が大きく変動する農作物も少なくないので、この代替農作物の提示は、この販売システムにとって大きな負担となる。
【先行技術文献】
【特許文献】
【０００４】
【特許文献１】特願２００５−７８２３８号公報（図１、図４）
【特許文献２】特願２０１１−１９７８３２号公報（図１、図２、図１２）
【発明の概要】
【発明が解決しようとする課題】
【０００５】
上記実情に鑑み、本発明の目的は、農作物をできるだけ早い機会に注文しながらも、注文取消しの発生が少なく、農作物の買い手の満足度がより高い、農作物ネット販売システムを提供することである。
【課題を解決するための手段】
【０００６】
本発明による農作物ネット販売システムは、農作物の買い手となるユーザによって操作されるユーザ端末と通信可能に接続されるとともに、農作物の状態を示す農作物状態情報が入力されるシステムであり、前記農作物状態情報を圃場区画単位に管理する農作物管理部と、販売可能な農作物を特定する農作物販売情報と前記販売可能な農作物のための前記農作物状態情報とを組み合わせて販売画面データを生成する販売画面データ生成部と、前記販売画面データに基づいて前記ユーザ端末に表示された販売画面を通じて行われた農作物購入依頼を処理する販売管理部とを備え、前記農作物状態情報は、農作物の収穫を行う収穫機によって収穫時に生成される。
【０００７】
この構成によれば、ユーザが閲覧する、ユーザ端末に表示される販売画面には、農作物の収穫を行う収穫機によってその収穫時に生成される農作物状態情報が販売可能な農作物のための情報として組み込まれる。したがって、ユーザは、収穫時に取得された農作物状態情報を参考にして、当該農作物の注文を行うことができるので、収穫前の気象条件による品質の変動や収量の変動というような影響を受ける可能性は少なく、満足度の高い農作物購入が可能となる。
【０００８】
最近は、農作物の重要な品質である食味を測定することができる食味センサが開発されている。このため、本発明の好適な実施形態の１つでは、前記収穫機に備えられた食味センサによる収穫時農作物の食味データが、前記農作物状態情報に含まれている。この構成では、収穫した農作物の食味データを収穫機内で生成することができるので、収穫農作物の食味を農作物状態情報として迅速に販売画面に組み込むことができる。これにより、ユーザは、収穫後短時間で、その収穫農作物そのものの食味データを販売画面から把握することできる。
【０００９】
また、農作物の場合、外観もその品質の評価のための重要なファクタとなる。特に、収穫時の農作物の外観は、最終的な農作物の評価のために重要である。このため、本発明の好適な実施形態の１つでは、前記収穫機に備えられたカメラによる収穫時農作物の撮影画像データが、前記農作物状態情報に含まれている。農作物を収穫する収穫機にカメラが備えられていると、収穫時に農作物の外観を撮影することができ、好都合である。
【００１０】
なお、圃場（田畑を含む）が広大な場合、収穫時に撮影される枚数も多数になるので、撮影画像と収穫農作物との関係がずれてしまう可能性がある。このような問題を避けるため、本発明の好適な実施形態の１つでは、前記カメラにはＧＰＳ機能が備えられ、前記撮影画像データに撮影位置が含まれており、前記撮影位置と前記圃場区画の位置とを照合することで、前記圃場区画で収穫された農作物のための前記農作物状態情報と前記撮影画像データとが関係づけられる。
【００１１】
農作物の品質に関しては、過去に同じ場所で収穫された同種の農作物の状態も、農作物の購入において参考となる。このため、前記農作物管理部が、過去に同じ圃場区画で収穫された農作物の農作物状態情報を管理することが好ましい。これにより、過去に収穫された農作物の状態を履歴表示することが可能となる。
【００１２】
農作物のネット販売にとって、その販売可能量、つまり在庫量が重要となる。販売可能量は、収穫時の農作物の収量である。この販売可能量を迅速にユーザに提示するために、本発明の好適な実施形態の１つでは、前記収穫機によって生成された農作物の収量を示す収量データが入力され、前記農作物販売情報として利用される。
【図面の簡単な説明】
【００１３】
【図１】本発明の農作物ネット販売システムの基本的な構成を説明する模式図である。
【図２】本発明の農作物ネット販売システムで利用される農作物収穫機の具体的な実施形態の１つであるコンバインの側面図である。
【図３】コンバインの平面図である。
【図４】収量センサと食味センサの配置を示す模式図である。
【図５】農作物ネット販売システムを構成するコンバインと農作物ネット販売センタの機能ブロック図である。
【図６】販売画面の一例を示す画面図である。
【図７】食味測定機構の別実施形態を示す模式図である。
【発明を実施するための形態】
【００１４】
本発明による農作物ネット販売システムの具体的な実施形態を説明する前に、図１を用いてその基本的な構成を説明する。
図１に示されているように、この農作物ネット販売システムに係る構成要素は、田畑などの圃場で農作物の収穫を行う農作物収穫機（以下単に収穫機と称する）１と、収穫された農作物をネット（通信）を利用して販売する農作物ネット販売センタ７と、農作物ネット販売センタ７にコンピュータ技術を用いてアクセスし、所望の農作物を購入するために用いられるユーザ端末８である。このような農作物ネット販売システムには、一般的にはサーバクライアントシステムの形態が採用されるが、本発明では、そのようなネットワーク構成に限定されるわけではない。
【００１５】
収穫機１は、収穫すべき農作物に適した収穫作業装置を備えているので、走行しながら農作物を収穫することができる。また、この収穫機１は、収穫した農作物の収量を測定する収量センサ２１、収穫した農作物の食味（水分、タンパク度、糖度、など）を測定する食味センサ２２、自機の位置を検出する位置センサ６２、収穫時の農作物の状態を撮影することができるカメラ６５を備えている。これにより、収穫物の収量と食味とを収穫物の収穫位置で関係付けた情報を生成することができる。また、カメラ６５による農作物の撮影画像を収穫位置で関係付けることも可能である。このように構成された収穫機１においては、農作物の状態を示すデータ、例えば食味や収量、さらにはその外観を示す撮影画像などからなる農作物状態情報が収穫時に生成される。生成された農作物状態情報は、収穫機１に備わっているデータ回線通信部６１によりネットワークを介して農作物ネット販売センタ７に送信することができる。
【００１６】
農作物ネット販売センタ７は、実質的にはコンピュータシステムであり、入出力サーバ７Ａとアプリケーションサーバ７Ｂとデータベースサーバ７Ｃとから構成されている。入出力サーバ７Ａは、インターネットなどのネットワークとつながっており、収穫機１やユーザ端末８とデータ交換可能である。データベースサーバ７Ｃは、入出力サーバ７Ａやアプリケーションサーバ７Ｂとネットワークでつながっており、各種情報を抽出可能に格納している。アプリケーションサーバ７Ｂは、実質的にプログラムの実行によって実現する各種機能部、例えば販売画面データ生成部７１、販売管理部７２、農作物管理部７３を備えている。農作物管理部７３は、収穫機１から送られてきた農作物状態情報を圃場区画（田畑）単位に管理し、必要に応じてデータベースサーバ７Ｃに検索可能に格納する。販売画面データ生成部７１は、農作物をネット販売するための画面を作り出す販売画面データを生成または更新する。販売画面データは、一般的にはＨＴＭＬやＸＭＬなどのマークアップ言語で記述された文書であるが、このようなものに限定されるわけではない。販売画面データには、販売可能な農作物を特定する農作物販売情報及び上述した農作物状態情報が含まれる。農作物販売情報には、農作物の名称、農作物の産地や圃場名、農作物の販売可能な数量、価格などが含まれる。その際、収穫機１によって測定された農作物の収量をそのまま、獲れたて農作物の販売可能な数量として用いることも可能である。販売管理部７２は、販売画面データに基づいてユーザ端末８に表示された販売画面を通じて行われる農作物購入依頼を処理して、その販売を管理する受発注処理機能を有する。
【００１７】
ユーザ端末８は、通信機能を有するコンピュータであり、通常のパソコン、タブレットコンピュータ、スマートフォンなどが含まれるが、ここでは、ＷＥＢブラウザが搭載され、そのディスプレイに農作物ネット販売センタ７から送られてくる販売画面データに基づく販売画面を表示する機能があればよい。
【００１８】
上述した基本構成から理解できることは、この収穫機１による農作物の収穫時にその農作物の農作物状態情報を収穫機１側で生成して、直ちに農作物ネット販売センタ７に送ることである。農作物ネット販売センタ７側では、この農作物状態情報に基づいて、この獲れたての農作物を販売提供するための販売画面を作成して、ユーザに提供することができる。
【００１９】
従来の一般的な収穫機１には、ネットワークを通じて農作物ネット販売センタ７との間でデータ通信できるデータ回線通信部６１が備えられていない。その場合には、データ回線通信部６１を、パソコン、タブレット、スマートフォンなどの携帯通信端末で代用する構成を採用することができる。その際、携帯通信端末に位置検出機能やカメラ機能が備わっている場合、位置センサ６２やカメラ６５もこの携帯通信端末で代用することができる。収穫機１と携帯通信端末との間のデータ交換は、収穫機１に設けられている車載ＬＡＮのデータ入出力部と携帯通信端末のデータ入出力部とをＵＳＢ接続などの有線通信や、Ｗｉ−Ｆｉなどの無線通信とで接続することで可能となる。
【００２０】
次に、図面を用いて、本発明による農作物ネット販売システムの具体的な実施形態の１つを説明する。ここでは農作物収穫機１は、米や麦を収穫する自脱型コンバイン（以下単にコンバインと称する）１として構成されている。図２にコンバイン１の側面図が示され、図３にコンバイン１の平面図が示されている。
【００２１】
コンバイン１は、角パイプ材などの複数の鋼材を連結した機体フレーム１０を備えている。機体フレーム１０の下部には左右一対のクローラ１１を装備している。機体フレーム１０における右半部の前側には、エンジンＥが搭載され、その上部に運転部１３が形成されている。運転部１３には、運転席１６、操縦レバー１７、車載ディスプレイ１８などが配置されている。機体フレーム１０における左側の前端部には、作業走行時に機体の前方に位置する収穫対象の作物穀稈を刈り取って後方に搬送する刈取り部１２が備えられている。機体フレーム１０の左半部には、刈取り部１２によって搬送された刈取穀稈を受け取って後方に搬送しながら刈取穀稈の着粒部に脱穀処理を施し、この脱穀処理で得た穀粒に選別処理を施す脱穀装置１４が搭載されている。機体フレーム１０における右半部の後側には、脱穀装置１４からスクリュ揚送式の供給コンベヤ３１を介して揚送搬出した穀粒を貯留する板金製の穀粒タンク１５が搭載されている。穀粒タンク１５には、穀粒タンク１５に貯留した穀粒を機外へ排出する穀粒排出装置１９が装備されている。図３と図４では、模式的にしか示されていないが、穀粒タンク１５の下部に穀粒の重量を検出する収量センサ２１が装備され、穀粒タンク１５の内部に、食味センサ２２を組み込んだ食味計３０が装備されている。食味センサ２２からは、品質データとして穀粒の水分値とタンパク値の測定データが出力されるので、この食味センサ２２は収穫物の水分測定センサとして用いることができる。
【００２２】
図４で模式的に示されているように、収量センサ２１は、機体フレーム１０に取り付けられたロードセルであり、このロードセルに穀粒タンク１５が載置されている。つまり、この収量センサ２１は、穀粒タンク１５を含めてそこに貯留された穀粒の重さを測定することで収穫穀粒の収量を測定する。所定のサンプリング時間毎に収量センサ２１によって増加量を算定することにより、所定時間当たりの収量が得られる。その際、走行速度を考慮すれば、所定距離当たりの収量を求めることも可能である。食味センサ２２は、図４に模式的に示されているように、この実施形態では、穀粒タンク１５の側壁に外側から装着された食味測定機構３０に組み込まれている。食味測定機構３０は、平行姿勢と垂れ下がり姿勢との間で開閉搖動する測定台３０ａを穀粒タンク内部側に備えている。測定台３０ａは上部開口と下部開口を有する筒状ケースで覆われている。また、測定台３０ａは、脱穀装置１４から供給コンベヤ３１によって搬送され、羽根車によって穀粒タンク１５への投入口１５ａから放出された穀粒の一部が到達する位置に配置されている。これにより、水平姿勢の測定台３０ａは、投入口１５ａから飛翔してくる穀粒を受け止めることができる。所定量の穀粒が測定台３０ａに載った段階で、食味センサ２２による測定が行われる。ここでは、分光分析が用いられており、穀粒水分やタンパク値の測定が可能であり、水分やタンパク、さらにはそれらの成分比から求められる食味値を測定値とすることができる。食味センサ２２による測定が完了すれば、測定台３０ａは垂れ下がり姿勢に搖動され、これにより測定台３０ａの載せられていた穀粒が放出される。穀粒が放出され、次の測定サンプリング時間になれば、再び測定台３０ａが水平姿勢に搖動される。
【００２３】
この実施形態では、コンバイン１側で備えられるべき種々の機能が、運転者が持参する携帯通信端末であるスマートフォンによって構築されている。以下に、コンバイン１に直接搭載されている制御系の機能部と、このコンバイン１の制御系に組み込まれるスマートフォンとにおける機能部と、農作物ネット販売センタ７における代表的な機能部を、図５の機能ブロック図を用いて説明する。
【００２４】
コンバイン１側の制御系に構築されている、本発明に関係する機能部は、走行制御ユニット５３と、作業制御ユニット５４と、センサ管理モジュール５と、データ入出力部５０である。走行制御ユニット５３は、車両走行に関する種々の制御情報を取り扱うＥＣＵであり、例えば、車載ＬＡＮを通じてセンサ管理モジュール５から取得した、走行速度、エンジン回転数、走行距離、燃費などのデータを取り扱う。作業制御ユニット５４は、刈取り部１２や脱穀装置１４などの刈取り収穫装置を制御するＥＣＵであり、センサ管理モジュール５から取得した検出信号に基づいて刈取り収穫装置の操作状態や稼働状態を示すデータを生成して出力する。
【００２５】
センサ管理モジュール５は、本発明に特に関係する機能として、収量センサ２１からの測定信号に基づいて穀粒タンク１５に貯留されている穀粒の現状収量を示す収量測定データ、及び食味センサ２２からの測定信号に基づいて穀粒の水分を示す食味測定データを生成して出力する。
【００２６】
データ入出力部５０は、運転者が持参しているスマートフォン６とデータ交換するための比較的近距離での通信を行う無線通信部であり、Ｗｉ−Ｆｉやブルートゥース(登録商標)などのプロトコルで動作する。
【００２７】
図１の基本構成で説明された、コンバイン１側の機能部であった、位置センサ６２、カメラ６５、データ回線通信部６１は、スマートフォン６に備わっている同一機能で代用する。なお、位置センサ６２は、ここではＧＰＳモジュールとして構成されている。さらに、農作物状態情報を生成する農作物状態情報生成モジュール６６は、スマートフォン６にインストールされたアプリとして構築されている。このため、この農作物状態情報生成モジュール６６には、コンバイン側のデータ入出力部５０とスマートフォン６側のデータ入出力部６０とを通じて、コンバイン１のセンサ管理モジュール５から送られてきた食味測定データから食味を算定する水分算定部６６ａ、及び収量測定データから収量を算定する収量算定部６６ｂが構築されている。さらに、農作物状態情報生成モジュール６６には、スマートフォン６のカメラ６５によって撮影された収穫時点の農作物の撮影画像から、農作物ネット販売センタ７に送るための撮影画像データを生成する撮影画像データ生成部６６ｃも構築されている。これにより、農作物状態情報生成モジュール６６は、収穫された米の食味と収量と撮影画像に、ＧＰＳモジュール６２から得られる位置データを関係づけた農作物状態情報を生成することができる。スマートフォン６には、本来的に、所有者ＩＤ管理部６３やデータ回線通信部６１やディスプレイ６４が備わっている。従って、この実施形態では、所有者ＩＤ管理部６３の機能を利用して、運転者の認証を行うことで、コンバイン１で生成された情報の取得やこれらの情報を農作物ネット販売センタ７に送信する際のセキュリティを確保することができる。スマートフォン６のデータ回線通信部６１を利用することで、特別な通信機能をコンバイン１に用意しなくても、遠隔地の農作物ネット販売センタ７との間で確実でかつ安価なデータ交換が可能となる。また、農作物ネット販売センタ７に送信する農作物状態情報の内容を、スマートフォン６のディスプレイ６４で確認することができる。
【００２８】
農作物ネット販売センタ７における機能部も、実質的には図１の基本構成で説明されたものと同じであるが、ここでは、アプリケーションサーバ７Ｂにユーザ管理部７０が追加されている。このユーザ管理部７０、この農作物ネット販売センタ７で農作物を購入するユーザを管理するものであり、ネット販売システムでは常識的な機能であるので、詳しい説明は省略する。データベースサーバ７Ｃは、販売管理データベース７６、農作物データベース７７、圃場データベース７８に区分けされる。農作物データベース７７は、農作物管理部７３によって管理されており、コンバイン１側から送られてくる収穫の農作物の作期毎の農作物状態情報が、登録された圃場区画で抽出可能に格納されている。したがって、この農作物データベース７７にアクセスすることで、例えば、過去に同じ圃場区画で収穫された農作物の農作物状態情報を即座に抽出して、販売画面８０に組み込むことも可能である。
【００２９】
図６に、販売画面データ生成部７１によって生成され、ユーザ端末８に表示される販売画面８０の一例が示されている。この販売画面の配置構成は、通常のネット販売のホームページなどと変わりはないが、そこに組み込まれている内容に特徴がある。商品写真欄８１には、その収穫時に撮影された農作物（ここでは米）の外観写真（撮影画像）が組み込まれている。また、農作物販売情報表示欄８２の圃場名には、圃場における特定区画ないしは特定位置を収穫時にＧＰＳモジュール６２で取得された位置データに基づいて正確に記述することができる。また、農作物状態情報表示欄８３における食味項目（ここでは水分とタンパク質）には、収穫時に算出された食味に基づいて正確に記述することができる。さらに、農作物状態情報表示欄８３における販売数、つまり在庫は、収穫時に算出された収量に基づいて正確に記述することができる。しかも、上述した、撮影画像、食味、収量はすべて、この販売画面８０で販売対象となっている農作物（ここでは米）の収穫時点で取得されたものであり、それらがデータ通信によって送られてくる。従って、この販売画面８０は、実質的には、対象となる農作物の収穫と同時に作成することも可能である。
【００３０】
上述した実施形態では、取り扱われている農作物が米であったが、もちろん他の農作物、トウモロコシ、ニンジン、ジャガイモ、さらにはトマト、リンゴなどの果実もそれ専用の収穫機によって収穫されるので、本発明の適用範囲である。
【００３１】
上述した実施形態では、食味センサ２２を組み込んだ食味測定機構３０の測定台３０ａは、水平姿勢と垂れ下がり姿勢の間の搖動するものであったが、その他の構造を採用することも可能である。例えば、図７で模式的に示されているように、測定台３０ａを、食味測定機構３０のボックス状のケースから進退移動させる構造を採用してもよい。その際、食味測定機構３０は、伸長した状態の測定台３０ａが、脱穀装置１４から供給コンベヤ３１によって搬送され穀粒タンク１５の投入口１５ａから放出される穀粒を受け止めることができるように配置される。この構造では、所定量の穀粒が測定台３０ａに載った段階で、測定台３０ａが食味測定機構３０の内部に引き込み、食味センサ２２による測定が行われる。
また、食味測定機構３０の配置場所は、穀粒タンク１５には限られず、脱穀装置１４から穀粒タンク１５への穀粒搬送経路３の適当な箇所に配置することも可能である。さらに、高速測定処理が可能な食味測定機構３０を採用する場合には、搬送中の穀粒、特に投入口１５ａから放出された飛翔中の穀粒を測定対象とすることも可能である。
（４）上述した実施形態では、収量センサ２１は、穀粒タンク１５の底面の中央付近に配置された単一のロードセルで構成されていたが、より正確な測定を行うために、穀粒タンク１５の底面の４つのコーナ領域にそれぞれロードセルを配置する構成を採用してもよい。
【産業上の利用可能性】
【００３２】
本発明は、農作物収穫機で収穫されるすべての農作物のネット販売の分野に適用することができる。
【符号の説明】
【００３３】
１：農作物収穫機（コンバイン）
１５：穀粒タンク
２１：収量センサ（ロードセル）
２２：食味センサ
６１：データ回線通信部
６２：位置センサ（ＧＰＳモジュール）
６５：カメラ
６６：農作物状態情報生成モジュール
７：農作物ネット販売センタ
７１：販売画面データ生成部
７２：販売管理部
７３：農作物管理部
８０：販売画面
【図１】
2014191473.tif 000003
【図２】
2014191473.tif 000004
【図３】
2014191473.tif 000005
【図４】
2014191473.tif 000006
【図５】
2014191473.tif 000007
【図６】
2014191473.tif 000008
【図７】
2014191473.tif 000009